(57)【特許請求の範囲】
【請求項１】
筺体と該筺体に回転軸を中心として回動自在に配設される回動部とを備え、前記筐体と前記回動部との間が配線コードで連結されている自動取引装置であって、
前記回転軸の近傍で前記配線コードを前記筺体に固定する第１の固定部材と、
前記回転軸の近傍であると共に前記第１の固定部材から前記回転軸方向に離間した離間位置で、前記配線コードを前記回動部に固定する第２の固定部材とを備え、
前記第１の固定部材及び第２の固定部材は、ともに前記配線コードの途中で固定する、
ことを特徴とする自動取引装置。
【請求項２】
前記配線コードは、前記回転軸に略並行に這っていることを特徴とする請求項１に記載の自動取引装置。
【請求項３】
前記第１の固定部材及び前記第２の固定部材は、前記回転軸の両端付近に配設されている、
ことを特徴とする請求項１に記載された自動取引装置。
【請求項４】
前記第１の固定部材は、前記筐体の幅方向の片方の端付近に配設されており、前記第２の固定部材は前記回動部の幅方向の片方の端付近に配設されることを特徴とする請求項１に記載された自動取引装置。
【請求項５】
前記回動部を上部に開放状態とした際に、前記配線コードは前記第１の固定部材と前記第２の固定部材との間においてねじれを生じることを特徴とする請求項１に記載の自動取引装置。
【請求項６】
前記配線コードのねじれは、当該配線コードの前記第２の固定部材に固定される部分が前記回転軸の円弧長だけ周方向に移動することによって生じることを特徴とする請求項５に記載の自動取引装置。
【請求項７】
前記配線コードは、前記回動部に配設された電子機器と、前記筐体の内部に配設された制御部とに接続されていることを特徴とする請求項１に記載の自動取引装置。
【請求項８】
前記回転軸は、前記筐体に配置されていることを特徴とする請求項１に記載の自動取引装置。
【請求項９】
前記回転軸は、前記回動部に配置されていることを特徴とする請求項１に記載の自動取引装置。
【請求項１０】
前記回転軸は、前記筐体と前記回動部の間に配置されていることを特徴とする請求項１に記載の自動取引装置。
【発明の詳細な説明】
【技術分野】
【０００１】
本発明は、自動取引装置に関し、特に、自動取引装置内のコードの配線を行う技術に関する。
【背景技術】
【０００２】
従来から、画像形成装置本体と当該画像形成装置本体に対して支軸を中心として開閉自在に設けられた自動原稿搬送装置とが電気ケーブル(配線コード)で接続されている複合機があった。この電気ケーブルは、自動原稿搬送装置から引き出される位置と、画像形成装置本体に接続される位置とが、支軸と直交する同一直線上に設けられるように構成されていた（特許文献１参照）。
【先行技術文献】
【特許文献】
【０００３】
【特許文献１】特開２００８−２６８７１２号公報（図４、図６）
【発明の概要】
【発明が解決しようとする課題】
【０００４】
しかしながら、特許文献１に記載された技術では、電気ケーブル(配線コード)を装置の外部に引き出しているので適用できる装置が限定されてしまう。以下では、金融機関、流通機関等で設置される自動取引装置(ＡＴＭ: Automated Teller Machine)を例に挙げて従来技術の問題点を説明する。
【０００５】
自動取引装置(ＡＴＭ)は、顧客に対して金融サービスを提供するためのアクセスポイントとしての役割を果たすので、美観が良いことが要求される。すなわち、顧客がＡＴＭを使用する状態では、配線コードはＡＴＭの外部に引き出されていない方がよい。そのため、特許文献１に記載された技術を、自動取引装置(ＡＴＭ)の装置内部に適用した場合の構成を図８及び図９に示す。これにより、ＡＴＭの外部に配線コードを引き出さないようにした。
【０００６】
ＡＴＭ９０１は、制御ユニット７ｃや電源ユニット７ｄを内包する筺体２と、操作パネル１６などを具備するフロントカバー３とで構成される。フロントカバー３は、筺体２の天井面の回転軸３１(図９参照)を中心に開閉自在に設けられており、フロントカバー３が開いた状態で、ＡＴＭ９０１のメンテナンスなどを行える構造になっている。
フロントカバー３は、操作パネル１６などのエレキ部品を具備しているので、配線コード９１０を介して制御ユニット７ｃや電源ユニット７ｄに接続する必要があり、フロントカバー３と筺体２との接続部分の配線コード９１０に、特許文献１に記載された技術を適用することが想定される。
【０００７】
ここで、ＡＴＭ９０１は、金融機関、流通機関等に設置されることから、出来る限りコンパクトであることが望ましいところ、特許文献１に記載された技術を適用したＡＴＭ９０１は、図１０（ａ）（ｂ）に示すように、フロントカバー３の回転軸３１の近傍と、筐体２の回転軸３１の近傍との双方で、固定部材９３２，９３３を用いて、配線コード９１０を固定する必要がある。このとき、ＡＴＭ９０１は、フロントカバー３の回動によって固定部材９３２，９３３の間の最短距離が変化するため、フロントカバー３を開放させると、図１０（ｂ）に示すように、配線コード９１０に張力が掛かる。このため、図１０（ａ）に示すように、配線コード９１０は、回転軸３１付近に余長を持たせなければならず、この余長部分のスペースを有効活用できないという問題があった。また、フロントカバー３の開閉動作によって、配線コード９１０が大きな屈曲を繰り返すことになり、内部疲労を起こして配線コード９１０が断線してしまうという問題があった。
【課題を解決するための手段】
【０００８】
前記課題を解決するため、本発明に係る自動取引装置（１）は、筺体（２）と該筺体に回転軸（３１）を中心として回動自在に配設される回動部（３）とを備え、前記筐体と前記回動部との間が配線コードで連結されている自動取引装置であって、前記回転軸の近傍で前記配線コードを前記筺体に固定する第１の固定部材（３２）と、前記回転軸の近傍であると共に前記第１の固定部材から前記回転軸方向に離間した離間位置で、前記配線コードを前記回動部に固定する第２の固定部材（３３）とを備え、前記第１の固定部材及び第２の固定部材は、ともに前記配線コードの途中で固定することを特徴とする。但し、括弧内の符号は例示である。
【発明の効果】
【０００９】
本発明によれば、配線コードの余長部分を設けなくてよい。これにより、回転軸の近傍に電子機器を設置することができる。
【図面の簡単な説明】
【００１０】
【図１】第１実施形態に係るＡＴＭの外観斜視図である。
【図２】第１実施形態に係るＡＴＭの右側面図である。
【図３】第１実施形態に係るＡＴＭのフロントカバーが閉状態における、回転軸付近の配線コードの状態を説明するための図であり、（ａ）は要部拡大概略上面図であり、（ｂ）は要部拡大概略右側面図である。
【図４】第１実施形態に係るＡＴＭのフロントカバーが開状態における、回転軸付近の配線コードの状態を説明するための図であり、（ａ）は要部拡大概略上面図であり、（ｂ）は要部拡大概略右側面図である。
【図５】第２実施形態に係るＡＴＭの外観斜視図である。
【図６】第２実施形態に係るＡＴＭの右側面図である。
【図７】第２実施形態に係るＡＴＭのフロントカバーが開状態における、回転軸付近の配線コードの状態を説明するための要部拡大概略右側面図である。
【図８】比較例としての従来のＡＴＭの外観斜視図である。
【図９】比較例としての従来のＡＴＭの右側面図である。
【図１０】比較例としての従来のＡＴＭの回転軸付近の配線コードの状態を説明するための図であり、（ａ）はフロントカバーが閉状態における要部拡大概略右側面図であり、（ｂ）はフロントカバーが開状態における要部拡大概略右側面図である。
【発明を実施するための形態】
【００１１】
以下、図面を参照して、本発明の実施の形態につき詳細に説明する。
なお、各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。また、各図において、共通する構成要素や同様な構成要素については、同一の符号を付し、それらの重複する説明を省略する。
【００１２】
［第１実施形態］
≪第１実施形態に係る自動取引装置の構成≫
以下、図１及び図２を参照して、第１実施形態に係る自動取引装置としてのＡＴＭの構成について説明する。図１は、第１実施形態に係るＡＴＭ１の外観斜視図である。図２は、第１実施形態に係るＡＴＭ１の右側面図である。
【００１３】
第１実施形態に係る自動取引装置（以下、「ＡＴＭ１」と称する）は、各種のユニットを内部に収納する筐体２と、筺体２の前面側に配設され、カード挿入排出口１２、通帳挿入排出口１３、操作パネル１６、ハンドセット１７、紙幣入出金口２１、及び硬貨入出金口２２が設けられたフロントカバー（回動部）３と、筺体２の前面側に配設され、近接センサ１１が設けられたＡＴＭ扉４と、筺体２内部の上側に配設され、カードリーダライタ（カードＲＷ）６ａ、及び通帳記帳機６ｂを有する上部ユニット６と、筺体２内部の下側に配設され、紙幣入出金機７ａ、硬貨入出金機７ｂ、制御ユニット７ｃ、及び電源ユニット７ｄを有する下部ユニット７とで構成される。以下では、各構成について説明する。
【００１４】
＜筺体＞
筺体２は、前面側の上部部分に切り欠きが設けられることで側面視Ｌ字形状を成し、底部分に４本の脚部が設けられる。また、筺体２は、上面先端部の内側にフロントカバー３を軸支するヒンジ構造３０を備える。これにより、フロントカバー３は、回転軸３１（図２）を中心に回動自在である。回転軸３１は、フロントカバー３または筐体２に設けてもよく、さらにフロントカバー３と筐体２の間に設けてもよい。
【００１５】
＜フロントカバー＞
フロントカバー３は、筐体２の前面側の上部部分を保護する上部カバーである。フロントカバー３の一端は、ヒンジ構造３０を設けることで、回転軸３１（図２）を中心に回動自在である。以下では、フロントカバー３と筺体２とが接触する状態を「閉状態」と呼び、フロントカバー３と筺体２とが離間する状態を「開状態」と呼ぶことにする。
【００１６】
カード挿入排出口１２は、キャッシュカードや振込カード等のカード媒体が挿入及び排出される開口部である。通帳挿入排出口１３は、通帳が挿入及び排出される開口部である。操作パネル１６は、各種の画面を表示したり、各種の指示や情報等の入力を受け付けたりする構成要素である。ハンドセット１７は、例えば弱視者用に設けられ、各種の案内情報を音声で顧客に通知する構成要素である。紙幣入出金口２１は、紙幣が投入及び放出される開口部である。硬貨入出金口２２は、硬貨が投入及び放出される開口部である。
【００１７】
＜ＡＴＭ扉＞
ＡＴＭ扉４は、筐体２の前面側の下部部分を保護する下部カバーである。近接センサ１１は、顧客の接近を検知するために用いられるセンサである。
【００１８】
＜上部ユニット＞
上部ユニット６は、カードリーダライタ（カードＲＷ）６ａ、及び通帳記帳機６ｂなどの電子機器で構成される。カードリーダライタ６ａは、キャッシュカードや振込カード等のカード媒体から情報を読み取るユニットである。通帳記帳機６ｂは、通帳から情報を読み取ったり、通帳に取引情報を記帳したりするユニットである。
【００１９】
＜下部ユニット＞
下部ユニット７は、紙幣入出金機７ａ、硬貨入出金機７ｂ、制御ユニット７ｃ、及び電源ユニット７ｄで構成される。紙幣入出金機７ａは、紙幣の鑑別や保管等の処理を行うユニットである。硬貨入出金機７ｂは、硬貨の鑑別や保管等の処理を行うユニットである。
制御ユニット７ｃは、配線コード１０を介してＡＴＭ１の各部に接続され(図２では操作パネル１６との接続のみ表示)、ＡＴＭ１の各部の動作を制御するユニットである。電源ユニット７ｄは、配線コード１０を介してＡＴＭ１の各部に接続され(図２では操作パネル１６との接続のみ表示)、ＡＴＭ１の各部に電力を供給するユニットである。以下では、各ユニットを「電子機器」と呼ぶ場合がある。
ここで、配線コード１０は、制御コードや電源コードを含む概念であり、これらのコードの配線束であってもよい。以下では、配線コード１０について説明する。
【００２０】
（配線コード）
図３及び図４を参照して、回転軸３１近傍の配線コード１０について説明する。図３は、フロントカバー３が閉状態での回転軸３１付近の配線コード１０の状態を表し、（ａ）は要部拡大概略上面図であり、（ｂ）は要部拡大概略右側面図である。図４は、フロントカバー３が開状態での回転軸３１付近の配線コード１０の状態を表し、（ａ）は要部拡大概略上面図であり、（ｂ）は要部拡大概略右側面図である。
【００２１】
配線コード１０は、筺体２などに固定する固定部が形成された結束バンドであるスナップバンド３２を用いて回転軸３１の近傍で筺体２に固定され、また、回転軸３１の近傍であると共にスナップバンド３２から回転軸３１方向に所定距離を離した離間位置でスナップバンド３３を用いてフロントカバー３に固定される。この離間位置は、スナップバンド３２とスナップバンド３３の間の距離をできるだけ長くするために、筐体２やフロントカバー３の幅方向の両端近傍が好ましい。スナップバンド３２の固定位置は、筐体２の幅方向の片方端であり、できるだけ外側付近である。スナップバンド３３の固定位置は、フロントカバー３の幅方向の片方端であり、できるだけ外側付近である。スナップバンド３２とスナップバンド３３の固定位置は、回転軸３１と筐体２及びフロントカバー３の幅に応じて決定する。なお、筺体２やフロントカバー３には、スナップバンド３２，３３の固定部を貫通させるための図示しない孔が形成されている。
【００２２】
以下では、配線コード１０の内、スナップバンド３２よりも筺体２側の区間を「第１の区間１０ａ」と呼び、スナップバンド３２とスナップバンド３３との間の区間を「第２の区間１０ｂ」と呼び、スナップバンド３３よりもフロントカバー３側の区間を「第３の区間１０ｃ」と呼ぶことにする。
【００２３】
第１の区間１０ａにおいて、配線コード１０は、筺体２の上面の右側面近傍を沿うように配設される。第２の区間１０ｂにおいて、配線コード１０は、回転軸３１に略並行に沿う(這う)ように配設される。これにより、配線コード１０と回転軸３１とが交差する角度は、略０(ゼロ)度となる。第３の区間１０ｃにおいて、配線コード１０は、フロントカバー３の左側面近傍を沿うように配設される。
【００２４】
ここで、フロントカバー３が開状態になった場合(図４参照)、第２の区間１０ｂにおいて、配線コード１０は、回転軸３１方向に対してねじれる。これは、スナップバンド３２，３３は、回転軸３１の近傍に配設されているところ、回転軸３１の軸方向に対して所定距離だけ離間しているので、一方のスナップバンド３３のみを筐体２に対して回転させることで、配線コード１０の一端が円弧長だけ周方向に移動することにより、配線コード１０がねじれるからである。
以上で、第１実施形態に係る自動取引装置１の構成の説明を終了する。
【００２５】
以上のように、第１実施形態に係るＡＴＭ１は、フロントカバー３と筺体２との間の配線コード１０を回転軸３１に沿って配線することで、フロントカバー３の開閉状態を通して第２の区間１０ｂの配線コード１０が回転軸３１に対してねじれる。これにより、従来のＡＴＭ９０１(図９参照)がフロントカバー３を閉状態にした場合に存在した回転軸３１付近の配線コード９１０の余長スペース(図１０（ａ）参照)をなくすことが可能であり、また、フロントカバー３を開閉しても、配線コード１０が大きな屈曲を起こすこともない。
【００２６】
そのため、第１実施形態に係るＡＴＭ１は、筺体２内のスペース(特に、回転軸３１付近)を有効活用することができ、また、配線コード１０の内部疲労を抑制することができる。なお、スナップバンド３２，３３の離間距離を長くするほど、配線コード１０の単位長さ当りのねじり角が小さくなり、より内部疲労を抑制することができる。
【００２７】
［第２実施形態］
≪第２実施形態に係る自動取引装置の構成≫
以下、図５及び図６を参照して、第２実施形態に係る自動取引装置としてのＡＴＭの構成について説明する。図５は、第２実施形態に係るＡＴＭ２０１の外観斜視図である。図６は、第２実施形態に係るＡＴＭ２０１の右側面図である。
【００２８】
第１実施形態に係るＡＴＭ１と、第２実施形態に係るＡＴＭ２０１との違いは、配線コード２１０が配設される位置と、構成が変更されている点である。以下では、第２実施形態に係るＡＴＭ２０１の構成の内、第１実施形態から変更されている構成のみを説明する。図２に示すように、第１実施形態では、配線コード１０は、筐体２の上面と背面とが連続する角部に沿うように、逆Ｌ字状に配設されていたが、第２実施形態では、フロントカバー３が開状態において、配線コード２１０は、この角部２ａから離間して配設される(図６参照)。また、筐体２は、背面側の上部にスナップバンド２３４(図７参照)を設け、配線コード２１０を固定している。フロントカバー３が開状態において、筐体２の上面と背面と配線コード２１０とは、角部２ａの対辺を配線コード２１０とした直角三角形を形成している。
【００２９】
図７を参照して、第２実施形態に係る配線コードについて説明する。図７は、フロントカバー３が閉状態での回転軸３１付近の配線コードの状態を説明するための要部拡大概略右側面図である。
【００３０】
（配線コード）
配線コード２１０は、回転軸３１に直交する方向に回転軸３１から後方に所定距離を離した離間位置で、リング状に形成され内部を配線コード２１０が往復動自在である保持部材２３２を用いて保持され、また、回転軸３１を挟んで保持部材２３２に対向する対向位置で、配線コード２１０をフロントカバー３にスナップバンド２３３を用いて固定される。さらに、配線コード２１０は、筐体２の角部２ａの下方において、スナップバンド２３４を用いて固定される。なお、筺体２やフロントカバー３には、スナップバンド２３３，２３４の固定部を貫通させるための図示しない孔が形成されている。
【００３１】
以下では、配線コード２１０の内、スナップバンド２３４と保持部材２３２との間の区間を「第１の区間２１０ａ」と呼び、保持部材２３２とスナップバンド２３３との間の区間を「第２の区間２１０ｂ」と呼び、スナップバンド２３３よりもフロントカバー３側の区間を「第３の区間２１０ｃ」と呼ぶことにする。
【００３２】
配線コード２１０は、開閉動作に合わせて、保持部材２３２の領域でフロントカバー３の回転軸３１に直交する方向に往復動する。それに伴い、第１の区間２１０ａにおいて、配線コード２１０は、フロントカバー３が開状態において、筺体２の角部２ａから離れる位置に移動し、フロントカバー３が閉状態において、角部２ａに沿うように移動する。第１の区間２１０ａは、回転軸３１近傍とは異なり電子機器としての上部ユニット６が設置されておらず比較的スペースが存在する。そのため、第２実施形態では、角部２ａ近傍のスペースを配線コード２１０の配線スペースとして使用することにする。第２の区間２１０ｂにおいて、配線コード２１０は、硬い補強板２１１(例えば、ナイロンプレート)が添えられ、結束バンド２１２で複数個所を固定されている。これにより、第２の区間２１０ｂにおいて、配線コード２１０がたわむことがなく、回転軸３１付近に配線コード２１０の余長スペースが形成されることがない。第３の区間２１０ｃにおいて、配線コード２１０は、スナップバンド２３３で固定されているため、配線コード２１０が往復動することはない。
【００３３】
以上のように、第２実施形態に係るＡＴＭ２０１は、フロントカバー３と筺体３との間の配線コード２１０に補強部材を形成することで、フロントカバー３の開閉動作に連動して、保持部材２３２の領域で配線コード２１０が回転軸３１に直交する方向に往復動する。これにより、従来のＡＴＭ９０１(図９参照)がフロントカバー３を閉状態にした場合に存在した回転軸３１付近の配線コード９１０の余長スペースをなくすことが可能である。
そのため、第２実施形態に係るＡＴＭ２０１は、筺体２内のスペース(特に、回転軸３１付近)を有効活用することができ、また、配線コード２１０の内部疲労を抑制することができる。
【００３４】
［変形例］
以上、本発明の実施形態について説明したが、本発明はこれに限定されるものではなく、その趣旨を変えない範囲で実施することができる。実施形態の変形例を以下に示す。
【００３５】
（配線コード）
第１実施形態及び第２実施形態では、配線コード１０，２１０として、電源コードや制御コードを想定して説明したが、それ以外のコードを用いることも可能である。
また、第１実施形態及び第２実施形態では、制御ユニット７ｃや電源ユニット７ｄと操作パネル１６との間の配線コード１０，２１０を例示として説明したが、筺体２内に配設される構成と筺体２に回動自在な構成との間のコードに広く適用することが可能である。
【符号の説明】
【００３６】
１，２０１，９０１  ＡＴＭ（自動取引装置）
２      筺体
２ａ    角部
３      フロントカバー（回動部）
４      ＡＴＭ扉
６      上部ユニット
７      下部ユニット
７ｃ    制御ユニット（制御部）
７ｄ    電源ユニット（電源部）
１０，２１０，９１０  配線コード
１６    操作パネル
３０    ヒンジ構造
３１    回転軸
３２，３３，２３３，２３４  スナップバンド（固定部材）
２１１  補強板
２１２  結束バンド
２３２  保持部材
【図１】
0005392374.tif 000002
【図２】
0005392374.tif 000003
【図３】
0005392374.tif 000004
【図４】
0005392374.tif 000005
【図５】
0005392374.tif 000006
【図６】
0005392374.tif 000007
【図７】
0005392374.tif 000008
【図８】
0005392374.tif 000009
【図９】
0005392374.tif 000010
【図１０】
0005392374.tif 000011